【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
熱伝達流体添加剤組成物であって：
組成物の全重量を基準として約１０重量％以上のカルボキシレート、カルボン酸、又はそれらの組み合わせ；
アゾール化合物；
塩基；及び
水；
を含み；
塩基は、熱伝達流体添加剤組成物を水で５０体積％に希釈した際に約７〜約１０．５のｐＨを得るのに十分な量で存在する、
前記熱伝達流体添加剤組成物。
【請求項２】
添加剤組成物が、シリケート、ボレート、及びアミンを含まず、１００ｐｐｍ未満のニトレート含量を有する、請求項１に記載の添加剤組成物。
【請求項３】
カルボキシレート、カルボン酸、又はそれらの組み合わせが組成物の全重量を基準として約１５重量％以上の量で存在する、請求項１に記載の添加剤組成物。
【請求項４】
カルボキシレート、カルボン酸、又はそれらの組み合わせが組成物の全重量を基準として約２０重量％以上の量で存在する、請求項１に記載の添加剤組成物。
【請求項５】
アゾールが組成物の全重量を基準として約０．０１〜約１０重量％の量で存在する、請求項１に記載の添加剤組成物。
【請求項６】
アゾールが組成物の全重量を基準として約０．３〜約９重量％の量で存在する、請求項１に記載の添加剤組成物。
【請求項７】
アゾールが組成物の全重量を基準として約０．５〜約８重量％の量で存在する、請求項１に記載の添加剤組成物。
【請求項８】
塩基が、熱伝達流体添加剤組成物を水で５０体積％に希釈した際に約７．５〜約１０．５のｐＨを得るのに十分な量で存在する、請求項１に記載の添加剤組成物。
【請求項９】
塩基が、熱伝達流体添加剤組成物を水で５０体積％に希釈した際に約８〜１０．５のｐＨを得るのに十分な量で存在する、請求項１に記載の添加剤組成物。
【請求項１０】
水が組成物の全重量を基準として約１０重量％〜約７０重量％の量で存在する、請求項１に記載の添加剤組成物。
【請求項１１】
水が約１０重量％〜約５０重量％の量で存在する、請求項１に記載の添加剤組成物。
【請求項１２】
水が組成物の全重量を基準として約１０重量％〜約４０重量％の量で存在する、請求項１に記載の添加剤組成物。
【請求項１３】
水が組成物の全重量を基準として約１０重量％〜約２５重量％の量で存在する、請求項１に記載の添加剤組成物。
【請求項１４】
非水性溶媒、無機ホスフェート、リン酸、又はそれらの組み合わせ、リチウムイオン、マグネシウムイオン、カルシウムイオン、アクリレートベースのポリマー、ホスホノカルボキシレート、ホスフィノカルボキシレート、消泡剤、分散剤、スケール抑制剤、界面活性剤、着色剤、及び上記の成分の２以上の組合せからなる群から選択される成分を更に含む、請求項１に記載の添加剤組成物。
【請求項１５】
非水性溶媒が、グリコール、グリセリン、又はこれらの組み合わせを含む、請求項１４に記載の添加剤組成物。
【請求項１６】
非水性溶媒が組成物の全重量を基準として約１０〜約８５重量％の量で存在する、請求項１５に記載の添加剤組成物。
【請求項１７】
非水性溶媒が組成物の全重量を基準として約１０〜約４０重量％の量で存在する、請求項１５に記載の添加剤組成物。
【請求項１８】
非水性溶媒が組成物の全重量を基準として約１０〜約２０重量％の量で存在する、請求項１５に記載の添加剤組成物。
【請求項１９】
無機ホスフェート、リン酸、又はそれらの組み合わせが組成物の全重量を基準として約１〜約１０重量％の量で存在する、請求項１４に記載の添加剤組成物。
【請求項２０】
無機ホスフェート、リン酸、又はそれらの組み合わせが組成物の全重量を基準として約１．５〜約６重量％の量で存在する、請求項１９に記載の添加剤組成物。
【請求項２１】
無機ホスフェート、リン酸、又はそれらの組み合わせが組成物の全重量を基準として約２〜約４重量％の量で存在する、請求項１９に記載の添加剤組成物。
【請求項２２】
ニトライト、モリブデート、及びこれらの塩からなる群から選択される１種類以上の更なる腐食抑制剤を更に含む、請求項１に記載の添加剤組成物。
【請求項２３】
熱伝達流体の製造方法であって、
熱伝達添加剤組成物を、水、非水性溶媒、又は水と非水性溶媒の組み合わせと混合する工程であって、熱伝達添加剤組成物は、熱伝達添加剤組成物の全重量を基準として約１０重量％以上のカルボキシレート、カルボン酸、又はそれらの組み合わせ；アゾール化合物；塩基；及び水；を含み；塩基は、熱伝達添加剤組成物を水で５０体積％に希釈した際に約７〜約１０．５のｐＨを得るのに十分な量で存在する、前記工程、
を含む、前記熱伝達流体の製造方法。
【請求項２４】
添加剤組成物が、シリケート、ボレート、及びアミンを含まず、１００ｐｐｍ未満のニトレート含量を有する、請求項２３に記載の方法。
【請求項２５】
カルボキシレート、カルボン酸、又はそれらの組み合わせが添加剤組成物の全重量を基準として約１５重量％以上の量で存在する、請求項２３に記載の方法。
【請求項２６】
カルボキシレート、カルボン酸、又はそれらの組み合わせが添加剤組成物の全重量を基準として約２０重量％以上の量で存在する、請求項２３に記載の方法。
【請求項２７】
アゾールが添加剤組成物の全重量を基準として約０．０１〜約１０重量％の量で存在する、請求項２３に記載の方法。
【請求項２８】
アゾールが添加剤組成物の全重量を基準として約０．５〜約８重量％の量で存在する、請求項２３に記載の方法。
【請求項２９】
塩基が、熱伝達添加剤組成物を水で５０体積％に希釈した際に約７．５〜約１０．５のｐＨを得るのに十分な量で存在する、請求項２３に記載の方法。
【請求項３０】
塩基が、熱伝達添加剤組成物を水で５０体積％に希釈した際に約８〜１０．５のｐＨを得るのに十分な量で存在する、請求項２３に記載の方法。
【請求項３１】
水が組成物の全重量を基準として約１０重量％〜約７０重量％の量で添加剤組成物中に存在する、請求項２３に記載の方法。
【請求項３２】
水が添加剤組成物の全重量を基準として約１０重量％〜約５０重量％の量で添加剤組成物中に存在する、請求項２３に記載の方法。
【請求項３３】
水が添加剤組成物の全重量を基準として約１０重量％〜約４０重量％の量で添加剤組成物中に存在する、請求項２３に記載の方法。
【請求項３４】
水が添加剤組成物の全重量を基準として約１０重量％〜約２５重量％の量で添加剤組成物中に存在する、請求項２３に記載の方法。
【請求項３５】
添加剤組成物が、非水性溶媒、無機ホスフェート、リン酸、又はそれらの組み合わせ、リチウムイオン、マグネシウムイオン、カルシウムイオン、アクリレートベースのポリマー、ホスホノカルボキシレート、ホスフィノカルボキシレート、消泡剤、分散剤、スケール抑制剤、界面活性剤、着色剤、及び上記の成分の２以上の組合せからなる群から選択される成分を更に含む、請求項２３に記載の方法。
【請求項３６】
非水性溶媒が、グリコール、グリセリン、又はこれらの組み合わせを含む、請求項３５に記載の方法。
【請求項３７】
非水性溶媒が組成物の全重量を基準として約１０〜約４０重量％の量で存在する、請求項３６に記載の方法。
【請求項３８】
添加剤組成物が、ニトライト、モリブデート、及びこれらの塩からなる群から選択される１種類以上の更なる腐食抑制剤を更に含む、請求項２３に記載の方法。
【請求項３９】
変性熱伝達流体の製造方法であって、
熱伝達添加剤組成物を、既存の熱伝達流体と混合して変性した熱伝達流体を形成する工程であって、熱伝達添加剤組成物は、熱伝達添加剤組成物の全重量を基準として約１０重量％以上のカルボキシレート、カルボン酸、又はそれらの組み合わせ；アゾール化合物；塩基；及び水；を含み；塩基は、熱伝達添加剤組成物を水で５０体積％に希釈した際に約７〜約１０．５のｐＨを得るのに十分な量で存在する、前記工程、
を含む、前記変性熱伝達流体の製造方法。
【請求項４０】
既存の熱伝達流体が熱伝達システムと接触していない、請求項３９に記載の方法。
【請求項４１】
既存の熱伝達流体が熱伝達システムと接触している、請求項３９に記載の方法。
【手続補正２】
【補正対象書類名】明細書
【補正対象項目名】００５０
【補正方法】変更
【補正の内容】
【００５０】
[0039]代表的な態様を例示の目的で示したが、上記の記載は本発明における範囲を限定するものとみなすべきではない。したがって、種々の修正、適合、及び代替は、本発明における精神及び範囲から逸脱することなく当業者が想到できる。
本発明の具体的態様は以下のとおりである。
[１]
熱伝達流体添加剤組成物であって：
組成物の全重量を基準として約１０重量％以上のカルボキシレート；
アゾール化合物；
塩基；及び
水；
を含み；
塩基は、熱伝達添加剤組成物を水で５０体積％に希釈した際に約７〜約１０．５のｐＨを得るのに十分な量で存在する、
前記熱伝達流体添加剤組成物。
[２]
添加剤組成物が、シリケート、ボレート、及びアミンを含まず、１００ｐｐｍ未満のニトレート含量を有する、[１]に記載の添加剤組成物。
[３]
カルボキシレートが組成物の全重量を基準として約１５重量％以上の量で存在する、[１]に記載の添加剤組成物。
[４]
カルボキシレートが組成物の全重量を基準として約２０重量％以上の量で存在する、[１]に記載の添加剤組成物。
[５]
アゾールが組成物の全重量を基準として約０．０１〜約１０重量％の量で存在する、[１]に記載の添加剤組成物。
[６]
アゾールが組成物の全重量を基準として約０．３〜約９重量％の量で存在する、[１]に記載の添加剤組成物。
[７]
アゾールが組成物の全重量を基準として約０．５〜約８重量％の量で存在する、[１]に記載の添加剤組成物。
[８]
塩基が、熱伝達添加剤組成物を水で５０体積％に希釈した際に約７．５〜約１０．５のｐＨを得るのに十分な量で存在する、[１]に記載の添加剤組成物。
[９]
塩基が、熱伝達添加剤組成物を水で５０体積％に希釈した際に約８〜１０．５のｐＨを得るのに十分な量で存在する、[１]に記載の添加剤組成物。
[１０]
水が組成物の全重量を基準として約１０重量％〜約７０重量％の量で存在する、[１]に記載の添加剤組成物。
[１１]
水が約１０重量％〜約５０重量％の量で存在する、[１]に記載の添加剤組成物。
[１２]
水が組成物の全重量を基準として約１０重量％〜約４０重量％の量で存在する、[１]に記載の添加剤組成物。
[１３]
水が組成物の全重量を基準として約１０重量％〜約２５重量％の量で存在する、[１]に記載の添加剤組成物。
[１４]
非水性溶媒、無機ホスフェート、リチウムイオン、マグネシウムイオン、カルシウムイオン、アクリレートベースのポリマー、ホスホノカルボキシレート、ホスフィノカルボキシレート、消泡剤、分散剤、スケール抑制剤、界面活性剤、着色剤、及び上記の成分の２以上の組合せからなる群から選択される成分を更に含む、[１]に記載の添加剤組成物。
[１５]
非水性溶媒が、グリコール、グリセリン、又はこれらの組み合わせを含む、[１４]に記載の添加剤組成物。
[１６]
非水性溶媒が組成物の全重量を基準として約１０〜約８５重量％の量で存在する、[１５]に記載の添加剤組成物。
[１７]
非水性溶媒が組成物の全重量を基準として約１０〜約４０重量％の量で存在する、[１５]に記載の添加剤組成物。
[１８]
非水性溶媒が組成物の全重量を基準として約１０〜約２０重量％の量で存在する、[１５]に記載の添加剤組成物。
[１９]
無機ホスフェートが組成物の全重量を基準として約１〜約１０重量％の量で存在する、[１４]に記載の添加剤組成物。
[２０]
無機ホスフェートが組成物の全重量を基準として約１．５〜約６重量％の量で存在する、[１９]に記載の添加剤組成物。
[２１]
無機ホスフェートが組成物の全重量を基準として約２〜約４重量％の量で存在する、[１９]に記載の添加剤組成物。
[２２]
ニトライト、モリブデート、及びこれらの塩からなる群から選択される１種類以上の更なる腐食抑制剤を更に含む、[１]に記載の添加剤組成物。
[２３]
熱伝達流体の製造方法であって、
熱伝達添加剤組成物を、水、非水性溶媒、又は水と非水性溶媒の組み合わせと混合する工程であって、熱伝達添加剤組成物は、熱伝達添加剤組成物の全重量を基準として約１０重量％以上のカルボキシレート；アゾール化合物；塩基；及び水；を含み；塩基は、熱伝達添加剤組成物を水で５０体積％に希釈した際に約７〜約１０．５のｐＨを得るのに十分な量で存在する、前記工程、
を含む、前記熱伝達流体の製造方法。
[２４]
添加剤組成物が、シリケート、ボレート、及びアミンを含まず、１００ｐｐｍ未満のニトレート含量を有する、[２３]に記載の方法。
[２５]
カルボキシレートが添加剤組成物の全重量を基準として約１５重量％以上の量で存在する、[２３]に記載の方法。
[２６]
カルボキシレートが添加剤組成物の全重量を基準として約２０重量％以上の量で存在する、[２３]に記載の方法。
[２７]
アゾールが添加剤組成物の全重量を基準として約０．０１〜約１０重量％の量で存在する、[２３]に記載の方法。
[２８]
アゾールが添加剤組成物の全重量を基準として約０．５〜約８重量％の量で存在する、[２３]に記載の方法。
[２９]
塩基が、熱伝達添加剤組成物を水で５０体積％に希釈した際に約７．５〜約１０．５のｐＨを得るのに十分な量で存在する、[２３]に記載の方法。
[３０]
塩基が、熱伝達添加剤組成物を水で５０体積％に希釈した際に約８〜１０．５のｐＨを得るのに十分な量で存在する、[２３]に記載の方法。
[３１]
水が組成物の全重量を基準として約１０重量％〜約７０重量％の量で添加剤組成物中に存在する、[２３]に記載の方法。
[３２]
水が添加剤組成物の全重量を基準として約１０重量％〜約５０重量％の量で添加剤組成物中に存在する、[２３]に記載の方法。
[３３]
水が添加剤組成物の全重量を基準として約１０重量％〜約４０重量％の量で添加剤組成物中に存在する、[２３]に記載の方法。
[３４]
水が添加剤組成物の全重量を基準として約１０重量％〜約２５重量％の量で添加剤組成物中に存在する、[２３]に記載の方法。
[３５]
非水性溶媒、無機ホスフェート、リチウムイオン、マグネシウムイオン、カルシウムイオン、アクリレートベースのポリマー、ホスホノカルボキシレート、ホスフィノカルボキシレート、消泡剤、分散剤、スケール抑制剤、界面活性剤、着色剤、及び上記の成分の２以上の組合せからなる群から選択される成分を更に含む、[２３]に記載の方法。
[３６]
非水性溶媒が、グリコール、グリセリン、又はこれらの組み合わせを含む、[３５]に記載の方法。
[３７]
非水性溶媒が組成物の全重量を基準として約１０〜約４０重量％の量で存在する、[３６]に記載の方法。
[３８]
添加剤組成物が、ニトライト、モリブデート、及びこれらの塩からなる群から選択される１種類以上の更なる腐食抑制剤を更に含む、[２３]に記載の方法。
[３９]
変性熱伝達流体の製造方法であって、
熱伝達添加剤組成物を、既存の熱伝達流体と混合して変性した熱伝達流体を形成する工程であって、熱伝達添加剤組成物は、熱伝達添加剤組成物の全重量を基準として約１０重量％以上のカルボキシレート；アゾール化合物；塩基；及び水；を含み；塩基は、熱伝達添加剤組成物を水で５０体積％に希釈した際に約７〜約１０．５のｐＨを得るのに十分な量で存在する、前記工程、
を含む、前記変性熱伝達流体の製造方法。
[４０]
既存の熱伝達流体が熱伝達システムと接触していない、[３８]に記載の方法。
[４１]
既存の熱伝達流体が熱伝達システムと接触している、[３９]に記載の方法。